(57)【要約】【課題】設置時に、別途に用意した設置板を設置場所に敷いておいてその上に装置本体を移動させ、アジャスタによる設置を行うとの手順を簡略化できる画像形成装置を提供する。【解決手段】キャスタ３と、アジャスタ機能とを有する画像形成装置１の装置本体２において、設置板５は複数の調整ボルト４とネジ止めや溶接により一体的に締結されている。これにより設置板５及び調整ボルト４の回転が抑止されている。装置本体２の底部を構成するベース７は箱型の構造となっている。ベース７の内部にはナット状の部材６が設けてある。調整ボルト４はナット状の部材６を介してベース７と連結されている。ナット状の部材６を回転させることで設置板５と調整ボルト４は一体で上下に可動し、装置本体２が設置板５を持つことで、設置時に別途に設置板を用意する必要がなく容易に設置板を設け得る。【選択図】図１
2011170268.tif 000002
【特許請求の範囲】
【請求項１】
装置本体を移動させるためのキャスタと、前記装置本体の設置時に、高さ調整、固定等の作業を行うためのアジャスタを有する画像形成装置において、
前記装置本体の底面に該装置本体と２ヵ所以上で保持されている設置板を１つ以上備えたことを特徴とする画像形成装置。
【請求項２】
請求項１記載の画像形成装置において、
前記設置板が、前記キャスタの稼動域に該キャスタが動き得るようにするための開口部を備えたことを特徴とする画像形成装置。
【請求項３】
請求項２記載の画像形成装置において、
前記設置板が、該設置板を移動操作するための調整機構を一体に備えたことを特徴とする画像形成装置。
【請求項４】
請求項３記載の画像形成装置において、
前記調整機構がボルト形状を有することを特徴とする画像形成装置。
【請求項５】
請求項２から４のいずれかに記載の画像形成装置において、
前記調整機構を前記装置本体下面のベース部材の内部に備えたことを特徴とする画像形成装置。
【請求項６】
請求項２から４のいずれかに記載の画像形成装置において、
前記調整機構を前記装置本体下面のベース部材の上部に備えたことを特徴とする画像形成装置。
【請求項７】
請求項２から４のいずれかに記載の画像形成装置において、
前記調整機構を前記装置本体下面のベース部材の下部に備えたことを特徴とする画像形成装置。
【発明の詳細な説明】
【技術分野】
【０００１】
本発明は、複写機、ファクシミリ、プリンタ、これらの機能を複合した複合機等の画像形成装置に関し、詳細には床置式のタイプのものでキャスタ及びアジャスタについて改良した画像形成装置に関する。
【背景技術】
【０００２】
床置式の画像形成装置であって比較的大型のものにおいては、これを所定位置に設置するために移動用のキャスタを設けることは多くの場合に必須であり、また設置後に移動してしまうことを防止するため及び装置本体の水平設置状態を確保するために、固定用のアジャスタを併設することが一般的に行われている。
【０００３】
したがって、新規に画像形成装置の装置本体を所定位置に設置する場合、移動用のキャスタにより希望する設置場所まで装置本体を移動させた後、装置本体下部に設けられたアジャスタの高さを調整し、設置場所の床面に対してアジャスタを当接させて装置本体の設置固定を行うようになっている。
【発明の概要】
【発明が解決しようとする課題】
【０００４】
しかし、この装置本体の設置作業において、アジャスタ単体での設置固定を行った場合、装置本体の自重による床の沈みによって装置本体の平衡性が失われ、装置本体の変形や結果として安定した画像の供給に不具合が生じることがある。また、アジャスタにより設置場所の床面が傷付くといった事例が確認されている。
【０００５】
そのため、装置本体とは別体の設置板をあらかじめ用意して設置場所の設置予定位置に敷いておき、設置板の上でアジャスタによる装置本体の設置固定をすることで、アジャスタの床面に対する圧を分散させてやるといったことが広く行われている。このような設置手順を必要とすることは、装置本体の設置に多くの作業手順を要することである、という問題があった。
【０００６】
そこで本発明は、画像形成装置の設置時に、別途に用意した設置板を設置場所に敷いておき、設置板の上に装置本体を移動し、アジャスタによる設置を行うといった手順を簡略化できる画像形成装置を提供することを目的とする。
【課題を解決するための手段】
【０００７】
本発明の画像形成装置は、装置本体を移動させるためのキャスタと、前記装置本体の設置時に、高さ調整、固定等の作業を行うためのアジャスタを有する画像形成装置において、
前記装置本体の底面に該装置本体と２ヵ所以上で保持されている設置板を１つ以上備えたことを特徴とする。
【０００８】
本発明の画像形成装置は、前記設置板が、前記キャスタの稼動域に該キャスタが動き得るようにするための開口部を備えたことを特徴とする。
【０００９】
本発明の画像形成装置は、前記設置板が、該設置板を移動操作するための調整機構を一体に備えたことを特徴とする。
【００１０】
本発明の画像形成装置は、前記調整機構がボルト形状を有することを特徴とする
【００１１】
本発明の画像形成装置は、前記調整機構を前記装置本体下面のベース部材の内部に備えたことを特徴とする。
【００１２】
本発明の画像形成装置は、前記調整機構を前記装置本体下面のベース部材の上部に備えたことを特徴とする。
【００１３】
本発明の画像形成装置は、前記調整機構を前記装置本体下面のベース部材の下部に備えたことを特徴とする。
【発明の効果】
【００１４】
本発明によれば、画像形成装置の設置時に、アジャスタの床面に対する圧を分散させてやるために、別途に用意した設置板を設置場所に敷いておき、設置板の上に装置本体を移動し、アジャスタによる設置を行うといった手順を簡略化することができる。
【００１５】
また本発明は、装置本体が設置板を持つことで、設置時に別途に設置板を用意し、あらかじめ設置場所の所定位置に敷いておく必要がなく、容易に設置板を設けることを可能とする。
【図面の簡単な説明】
【００１６】
【図１】本発明の実施対象とする画像形成装置の一例の模式的側面図
【図２】図１に示した画像形成装置の設置状態の模式的側面図
【図３】図１に示した画像形成装置の底面図
【図４】設置板の取り付け構造を一部破断して示す図
【図５】本発明の実施例２である画像形成装置の設置板の取り付け構造を示す図
【図６】本発明の実施例３である画像形成装置の設置板の取り付け構造を示す図
【発明を実施するための形態】
【００１７】
本発明は、装置本体を移動させるためのキャスタと、装置本体の、高さ調整、固定等の作業を行うためのアジャスタを有する画像形成装置において、装置本体が設置板を備え、設置時に別途に設置板を用意し、あらかじめ設置場所の所定位置に敷いておく必要がなく、容易に設置板を設け得るようにする。
【００１８】
前記設置板が、前記キャスタの稼動域に該キャスタが動き得るようにするための開口部を備え、設置板がキャスタの動きを阻害することなく装置本体を移動させることを可能とし、また、キャスタの位置にかかわらず調整機構により設置板を調整することを可能とする。
【００１９】
前記設置板が、該設置板を移動操作するための調整機構を一体に備え、設置板を複数備えるようにしても設置板それぞれに設けた調整機構を操作することにより複数の箇所で同時に設置板を、例えば上下方向に、動かせるようにする。
【００２０】
前記調整機構がボルト形状を有し、このボルト形状の調整機構を回転させる操作を行うことにより設置板を容易に動かせるようにする。
【００２１】
前記調整機構を前記装置本体下面のベース部材の内部に備え、別途に取り付け部材を必要とせずに調整機構を設け得るようにする。
【００２２】
前記調整機構を前記装置本体下面のベース部材の上部に備え、調整機構の操作を上方から行えるようにして作業性が良好となるようにしてする。
【００２３】
前記調整機構を前記装置本体下面のベース部材の下部に備え、装置本体を持ち上げる際に調整機構の強度をベースに持たせることを可能とする。
【実施例】
【００２４】
＜実施例１＞
図１は、本発明の実施対象とする画像形成装置の一例の模式的側面図である。
図示の装置は、キャスタ３と、アジャスタ機能とを有する画像形成装置１の装置本体２において、設置板５は複数の調整ボルト４とネジ止めや溶接により一体的に締結されており、これにより設置板５及び、調整ボルト４の回転が抑止されている。
【００２５】
また、装置本体２の底部を構成するベース７は箱型の構造となっており、ベース７の内部にはナット状の部材６が設けられている。調整ボルト４はナット状の部材６を介してベース７と連結されている。そのため、ナット状の部材６を回転させることにより設置板５と調整ボルト４は一体で上下に可動する。従って、装置本体が設置板を持つことにより、設置時に別途に設置板を用意する必要がなく容易に設置板を設けることができる。
【００２６】
図２は、図１に示した画像形成装置の設置状態の模式的側面図である。
設置状態において、ナット状の部材６を回転させることにより調整ボルト４と一体となる設置板５はキャスタ３よりも低い位置にあり、キャスタ３は床面と接していない状態となっている。これにより、画像形成装置１の荷重による圧は設置板５を介して設置場所の床面に分散して伝えられる。そのため、床の沈みが起こらず、装置本体２は高い平衡性を得ることができる。また同時に、アジャスタ機能による床面への傷も防止することができる。
【００２７】
図３は、図１に示した画像形成装置の底面図である。
設置板５にはキャスタ３の可動域を避けるための開口部５ａが設けられている。これにより、設置板５がキャスタ３の動きを阻害することなく装置本体を移動させることができる。また、キャスタ３の位置にかかわらず調整ボルト４により設置板５を上下に可動させることができるため、設置時の作業性が良好となる。
【００２８】
図４は、設置板の取り付け構造を一部破断して示す図である。設置板５は調整ボルト４とネジ止めや溶接により一体的に締結されている。装置本体２の底部を構成するベース７は箱型の構造となっており、ベース内部にはナット状の部材６が設けられている。調整ボルト４はナット状の部材６を介してベース７と連結されている。
【００２９】
そのため、ナット状の部材６を回転させることにより設置板５と調整ボルト４は一体で上下に可動する。また、ナット状の部材６はベース７に対しフリーとなっており、図１の状態においてはナット状の部材６はベース７の下面と接触した状態で回転し、調整ボルト４及び設置板５を可動させる。また図２の状態においてはナット状の部材６はベース７の上面と接触した状態で回転し、ベース７を介して装置本体２を持ち上げる。このように、装置本体２を設置板５の面全体で接地させることができるため、設置場所の床面に対して、調整ボルト４の圧を分散させて設置することできる。
【００３０】
＜実施例２＞
図５は、本発明の実施例２である画像形成装置の設置板の取り付け構造を示す図である。  ベース７の上部には取り付け部材８がネジ止めや溶接により一体的に連結されている。ナット状の部材６はベース７と取り付け部材８の内部に設けられているため、第一実施形態の構成と同様に設置板５の高さ調整を行うことが出来る。第一実施形態においては、調整作業をベース部材の位置で行ったが、本実施形態においては、これを装置底面のベース部材の上方から行うことが可能となり、とりわけ作業性が良好となる。
【００３１】
＜実施例３＞
図６は、本発明の実施例３である画像形成装置の設置板の取り付け構造を示す図である。  ベース７の下部には取り付け部材８がネジ止めや溶接により一体的に連結されている。ナット状の部材６はベース７と取り付け部材８の内部に設けられているため、実施例１の構成と同様に設置板５の高さ調整を行うことが出来る。なお実施例１においては、調整作業をベース部材の位置で行ったが、本実施形態においては、これを装置底面のベース部材の下方から行うことで、調整機構の強度をベースに持たせることが可能となる。
【符号の説明】
【００３２】
１：画像形成装置
２：装置本体
３：キャスタ
４：調整ボルト
５：設置板
５ａ：設置板の開口部
６：ナット状の部材
７：ベース
８：取り付け部材
【先行技術文献】
【特許文献】
【００３３】
【特許文献１】特開２００２−１９０６７５号公報
【特許文献２】特開平０７−２３１０７９号公報
【図１】
2011170268.tif 000003
【図２】
2011170268.tif 000004
【図３】
2011170268.tif 000005
【図４】
2011170268.tif 000006
【図５】
2011170268.tif 000007
【図６】
2011170268.tif 000008